(57)【要約】【課題】補助光源を構成する個々の照明体に異常が発生したときに、パネル全体の視聴輝度に与える影響を抑える。【解決手段】バックライト部４００の複数の冷陰極管４１０の何れかに異常が発生し正常な発光が得られなくなっているか否かを監視して、異常が発生するようになると、この冷陰極管４１０の異常発生によって発生し得る表示パネルにおける表示異常領域T_NGの輝度低下を補正するように、水平走査部に供給される電源電圧を調整する、水平走査部から画素セルに送出される映像信号を調整する、もしくは、バックライト部４００が表示パネルを照明する照明光の強度を調整することで、表示パネル全体の視聴輝度が均一となるように制御する。【選択図】図６
2009294506.tif 000002
【特許請求の範囲】
【請求項１】
複数の画素セルを具備し、入力画像信号に基づく画像を表示する表示パネルと、
複数の照明体を具備し前記表示パネルを照明する照明部と、
前記表示パネルの各画素セルに映像信号を送出する水平走査部と、
前記表示パネルの各画素セルを垂直走査する垂直走査部と、
前記水平走査部に電源電圧を供給する電源部と、
前記照明部の何れかの照明体に異常が発生し正常な発光が得られなくなったとき、前記電源部を制御して前記水平走査部に供給される電源電圧を調整する、前記水平走査部から前記画素セルに送出される映像信号を調整する、もしくは、前記照明部が前記表示パネルを照明する照明光の強度を調整することで、前記表示パネル全体の視聴輝度が均一となるように制御する表示輝度制御部と、
を備えたことを特徴とする表示装置。
【請求項２】
前記表示輝度制御部は、前記照明部の何れかの照明体に異常が発生し正常な発光が得られなくなったとき、当該異常が発生している照明体の発光を停止させる
ことを特徴とする請求項１に記載の表示装置。
【請求項３】
前記照明部は、複数の色成分を個別に発する照明体を具備し、これら色別の照明体から発せられる光を混色して白色光とする方式のものであり、
前記表示輝度制御部は、前記照明部の何れかの照明体に異常が発生し正常な発光が得られなくなったとき、当該異常が発生している照明体の発光を停止させるとともに、白色光を生成するために当該異常が発生している照明体と組になる他の色成分の照明体の発光も停止させる
ことを特徴とする請求項２に記載の表示装置。
【請求項４】
ある照明体の発光を停止したときの前記表示パネルにおける表示異常領域に発生し得る視聴輝度低下の分布状況を照明体別に記憶する輝度低下分布記憶部を、さらに備え、
前記表示輝度制御部は、前記照明部の何れかの照明体に異常が発生し正常な発光が得られなくなったとき、前記輝度低下分布記憶部に記憶されている照明体別の視聴輝度低下の分布状況を参照して、前記表示パネル全体の視聴輝度が均一となるように前記制御を行なう
ことを特徴とする請求項１に記載の表示装置。
【請求項５】
階調カーブを規定する基準階調電圧を生成して前記水平走査部に供給する階調基準電圧生成部と、
入力画像信号を出力画像信号に変換して前記水平走査部に供給するレベル変換部と、
をさらに具備し、
前記階調基準電圧生成部が前記基準階調電圧を調整することで、もしくは、前記レベル変換部が前記入力画像信号と前記出力画像信号の対応関係を調整することで、前記水平走査部から前記画素セルに送出される映像信号を調整する
ことを特徴とする請求項１に記載の表示装置。
【請求項６】
前記表示輝度制御部は、前記表示パネルにおける異常が発生している照明体に対応する表示異常領域の視聴輝度が異常発生前の視聴輝度と同レベルとなる程度まで上昇する方向に、前記電源電圧、前記映像信号の内の少なくとも１つを調整するように制御するとともに、前記表示パネルにおける前記表示異常領域以外の表示正常領域については通常通りの視聴輝度レベル設定を行なう
ことを特徴とする請求項１に記載の表示装置。
【請求項７】
前記表示輝度制御部は、前記表示パネルにおける異常が発生している照明体に対応する表示異常領域の視聴輝度が異常発生前の視聴輝度と同レベルとなる程度まで上昇する方向に、前記表示パネルの全体について、前記電源電圧、前記映像信号、前記照明光の強度の内の少なくとも１つを調整する第１の補正を行なうように制御するとともに、前記表示パネルにおける前記表示異常領域以外の表示正常領域については、異常発生前の視聴輝度と同レベルとなる程度まで低下する方向に、前記電源電圧、前記映像信号、前記照明光の強度の内の前記第１の補正を適用済みのものを除く少なくとも１つを調整する第２の補正を行なうように制御する
ことを特徴とする請求項１に記載の表示装置。
【請求項８】
前記表示輝度制御部は、前記映像信号および前記照明光の強度の内の少なくとも１つを調整することで前記第１の補正を行なうように制御するとともに、前記電源電圧を調整することで前記第２の補正を行なうように制御する
ことを特徴とする請求項７に記載の表示装置。
【請求項９】
複数の画素セルを具備し入力画像信号に基づく画像を表示する表示パネルと、前記表示パネルを照明する照明部と、前記表示パネルの各画素セルに映像信号を送出する水平走査部と、前記表示パネルの各画素セルを垂直走査する垂直走査部と、前記水平走査部に電源電圧を供給する電源部と、を備えた表示装置の表示品質の調整方法において、
前記水平走査部で消費される電源電流を監視し、当該監視した電源電流が所定の判定レベルを上回るとき、前記電源部を制御して前記水平走査部に供給される電源電圧を低減させるとともに、前記水平走査部から前記画素セルに送出される映像信号が大きくなるように制御する、もしくは、前記照明部が前記表示パネルを照明する照明光を上昇させるように制御する
ことを特徴とする表示装置の表示品質の調整方法。
【発明の詳細な説明】
【技術分野】
【０００１】
本発明は、電気光学素子（表示素子や発光素子とも称される）を具備する画素回路（画素とも称される）を備えた表示パネルと、表示パネルを照明する光源装置を備えた表示装置および表示装置の表示品質の調整方法に関する。より詳細には、光源装置に起因する表示むらの補正機能を有する表示装置とその表示品質の調整方法に関する。
【背景技術】
【０００２】
画素の表示素子として、印加される電圧や流れる電流によって輝度が変化する電気光学素子を用いた表示装置がある。たとえば、印加される電圧によって輝度が変化する電気光学素子としては液晶表示素子が代表例であり、流れる電流によって輝度が変化する電気光学素子としては、有機エレクトロルミネッセンス（Organic Electro Luminescence, 有機ＥＬ, Organic Light Emitting Diode, OLED；以下、有機ＥＬと記す） 素子が代表例である。後者の有機ＥＬ素子を用いた有機ＥＬ表示装置は、画素の表示素子として、自発光素子である電気光学素子を用いたいわゆる自発光型の表示装置である。
【０００３】
自発光型の表示装置においては、画面調整として、コントラスト調整とブライトネス調整を、画素セルに書き込む画像信号の調整で行なう。一方、自発光型でない表示装置の場合は、多くの場合（必須ではないが）、補助光源となる照明部を使用して、照明部から発せられた照明光を表示面側や表示面とは反対側の背面側から照射するようにしている。たとえば、画素セルの電気光学素子に液晶素子を使用する液晶表示装置が典型例である。
【０００４】
補助光源を使用するタイプの表示装置においては、光源装置から出射された光には不均一性を有しており、この光の不均一性は、液晶表示装置の表示品質に少なからず影響を与える。この傾向は液晶表示装置が大型化する程顕著であり、拡散シートなどによって光の均一化を図る仕組みもあるが、充分ではなくある程度の光ムラを有しているのが現状である。そこで、補助光源の発光する光の不均一性に起因する表示むらを防止する仕組みが提案されている（たとえば特許文献１を参照）。
【０００５】
【特許文献１】特開平０８−３１３８７９号公報
【０００６】
たとえば、特許文献１に記載の仕組みでは、液晶表示パネル、バックライト装置、信号処理装置、バックライト装置を介して表示される液晶表示パネルの表示画面を所定のエリアに分割して表示画面の所定のエリアの色相および輝度を検出するＲＧＢセンサなどの検出手段、検出手段の検出データを記憶しておくメモリ、およびメモリに記憶されている検出手段の検出データを基に表示画面の所定のエリアの色相および輝度を補正する補正手段を備えて液晶表示装置を構成する。そして、検出手段によりエリア内の色相や輝度を検出し、補正手段ではメモリ内に格納された色相や輝度の検出データを基に、各エリアの色相や輝度が同一となるように液晶表示パネルの各エリアの駆動データ（印加電圧）を変更して、液晶表示パネルの表示画面が均一になるように自動調整を行なうことで、バックライト部の発光する光の不均一性に起因する輝度むらや色相むらを防止する。
【発明の開示】
【発明が解決しようとする課題】
【０００７】
ここで、補助光源を使用するタイプの表示装置においては、光源を構成する照明体に異常があると著しい照明光のむらが発生し、著しい表示むらが発生してしまう。この対策のために、特許文献１に記載の仕組みを利用することが考えられる。
【０００８】
しかしながら、特許文献１に記載の仕組みは、バックライト部を構成する照明体が全て正常であることを前提として、それでも照明光に不均一性がある場合の対策手法であり、メモリに記憶するための検出手段による検出データの取得や駆動データの変更はバックライトの異常検知を契機とするものでない。つまり、特許文献１に記載の仕組みは、バックライト部が正常であっても光の不均一性があることに着目した駆動データ制御に過ぎず、バックライト部を構成する個々の照明体に異常が発生したときを考慮した制御はなされていない。
【０００９】
また、特許文献１に記載の仕組みは、駆動データの変更に際に参照されるメモリに記憶しておく検知データを補正モード下において取得する検出手段が装置本体とは別に必要となる難点がある。そのため、たとえば、可搬型の装置（ＰＤＡ（Personal Digital Assistant）や携帯端末あるいはノートパソコンなど）に適用するのは困難である。
【００１０】
本発明は、補助光源を構成する個々の照明体に異常が発生したときに、視覚的に感じられる表示性能（特に視聴輝度：白黒の場合は輝度、カラーの場合は色相）に与える影響を抑えることのできる仕組みを提供することを目的とする。
【課題を解決するための手段】
【００１１】
本発明に係る表示装置やその表示品質の調整方法の一形態においては、先ず、表示装置は、複数の画素セルを具備し入力画像信号に基づく画像を表示する表示パネルと、複数の照明体を具備し表示パネルを照明する照明部と、表示パネルの各画素セルに映像信号を送出する水平走査部と、表示パネルの各画素セルを垂直走査する垂直走査部と、水平走査部に電源電圧を供給する電源部とを備える。自発光型でない電気光学素子を画素セルに具備する場合は、好ましくは、表示パネルを照明する照明部をさらに備えるとよい。これらは、補助光源を使用する一般的なパネル型の表示装置が備えるものと同じと考えてよい。
【００１２】
また、本発明に係る表示装置やその表示品質の調整方法の一形態における特徴的な事項として、照明部の何れかの照明体に異常が発生し正常な発光が得られなくなったとき、電源部を制御して水平走査部に供給される電源電圧を調整する、水平走査部から画素セルに送出される映像信号を調整する、もしくは、照明部が表示パネルを照明する照明光の強度を調整することで、表示パネル全体の視聴輝度が均一となるように制御する表示輝度制御部を備を備える。この表示輝度制御部による制御は、表示パネルにおける異常が発生している照明体に対応する表示異常領域と当該表示異常領域以外の表示正常領域の視聴輝度が、何れも異常発生前の視聴輝度と同じに維持されるようにすることを意味する。
【００１３】
つまり、照明部の複数の照明体の何れかに異常が発生し正常な発光が得られなくなっているか否かを監視して、異常が発生するようになると、この照明体の異常発生によって発生し得る表示パネルにおける対応部分（表示異常領域）の輝度低下を補正するように、コントラスト制御や照明光制御を行なう。
【発明の効果】
【００１４】
本発明の一形態によれば、照明部を構成する複数の照明体の何れかに異常が発生して正常な発光が得られなくなると、表示異常領域での輝度低下を補うようにコントラスト制御や照明光制御を行なうようにしたので、異常発生時においても、表示パネルの表示画面が均一になるようにできる。
【００１５】
また、照明部を構成する複数の照明体の何れに異常が発生しているかを監視して制御を開始すればよく、特許文献１に記載の仕組みのように、駆動データの変更に際に参照される検知データを補正モード下において取得する検出手段や検知された検知データを記憶しておくメモリを備えることは必須ではないので、ＰＤＡや携帯端末あるいはノートパソコンなどの可搬型の装置にも容易に適用できる。
【発明を実施するための最良の形態】
【００１６】
以下、図面を参照して本発明の実施形態について詳細に説明する。なお、以下においては、画素の表示素子として自発光型でない液晶素子を例に、また補助光源をバックライトとして使用する透過型の表示装置で具体的に説明する。ただしこれは一例であって、補助光源から発せられた照明光をフロント側から照射する反射型の表示装置や、画素の表示素子として自発光型でない液晶素子を使用しつつ補助光源を使用せず周囲光を利用する反射型の表示装置でもよい。さらに、透過型と反射型の機能を１つの表示パネルに取り込んだ半透過型と称される表示装置でもよい。また、対象となる表示素子は液晶素子に限らない。電圧駆動で発光する表示素子や電流駆動で発光する表示素子の全てに、後述する実施形態が同様に適用できる。なお、補助光源としての照明部を使用しない表示装置の場合は、照明部に関する部分の制御を行なう実施形態が適用外となるのは言うまでもない。
【００１７】
＜液晶表示装置の全体構成＞
図１は、たとえば電気光学素子として液晶素子を用いてなる液晶表示装置の一実施形態の全体構成の概略を示す図である。このような表示装置は、半導体メモリやミニディスク（ＭＤ）やカセットテープなどの記録媒体を利用した携帯型の音楽プレイヤーやその他の電子機器の表示部に利用される。
【００１８】
図１に示すように、液晶表示装置１は、基板２の上に画素アレイ部３が集積形成され、その近傍に第１の制御部であるゲートドライバ部５（垂直駆動部とも称される）と第２の制御部であるソースドライバ部６（水平駆動部とも称される）などが配置されている。ゲートドライバ部５やソースドライバ部６には、パネル外に配された駆動制御回路から、映像信号や種々のパルス信号が供給されるようになっている。
【００１９】
図では、画素アレイ部３のみで表示パネル部とした形態を示しているが、製品形態としてはこのようなものに限らない。すなわち、製品形態としては、画素アレイ部３とゲートドライバ部５やソースドライバ部６などの制御部を同一のガラス基板上に搭載した表示パネル部と駆動信号生成部や映像信号処理部を別体とする形態（パネル上配置構成と称する）や、表示パネル部には画素アレイ部３を搭載し、それとは別基板（たとえばフレキシブル基板）上に制御部や駆動信号生成部や映像信号処理部などの周辺回路を搭載する形態（周辺回路パネル外配置構成と称する）が考えられる。
【００２０】
また、画素アレイ部３と制御部とを同一のガラス基板上に搭載して表示パネル部を構成するパネル上配置構成の場合、画素アレイ部３のＴＦＴを生成する工程にて同時に制御部（必要に応じて駆動信号生成部や映像信号処理部も）用の各ＴＦＴを生成する仕組み（ＴＦＴ一体構成と称する）と、ＣＯＧ（Chip On Glass ）実装技術により画素アレイ部３が搭載されたガラス基板上に制御部（必要に応じて駆動信号生成部や映像信号処理部も）用の半導体チップを直接実装する仕組み（ＣＯＧ搭載構成と称する）が考えられる。
【００２１】
周辺回路パネル外配置構成やＣＯＧ搭載構成（纏めて制御部後付け構成とも称する）では、画素アレイ部３と制御部とが別体である時点が存在する。画素アレイ部３と制御部を接続しないと、画表示を行なうことができないために、画素アレイ部３の各画素の欠陥（ＴＦＴの短絡や開放）や走査線の欠陥（断線や隣接する走査線との接触）などの検査を行なうことができない。
【００２２】
このため、制御部後付け構成を採る場合、画素アレイ部３の周辺部に、制御部を画素アレイ部３に接続せずに画素アレイ部３の各画素や走査線の検査を行なうことを目的として、画素アレイ部３の外部から各走査線にテスト信号を供給可能とするテストスイッチ回路を設けて簡易点灯検査を行なうことがある。また、制御部後付け構成では、画素アレイ部３と制御部とが別体である時点が存在するので、完成品にする過程で画素アレイ部３上の走査線に人体や製造機材などを介して静電気が印加され回路素子が破壊される可能性がＴＦＴ一体構成の場合よりも多くなるため、静電気による静電破壊からの回路素子の保護を目的として走査線ごとに静電気保護回路を設けることもある。
【００２３】
画素アレイ部３は、１対の基板２と両者の間に保持された液晶素子３２とを備えたパネル構造を有する。たとえば、画素トランジスタなどを含む画素セル３０が、透明絶縁基板、たとえば第１のガラス基板（駆動側基板）上に行列状に２次元配置され、この画素配列に対して行ごとに垂直走査線が配線されるとともに、列ごとに水平走査線が配線された構成となっている。第１のガラス基板は、第２のガラス基板（対向側基板）と所定の間隙を持って対向配置されるとともに、図示しないシール剤を介して貼り合わされている。そして、そのシール剤の位置よりも内側の領域に液晶材料が封入されることになる。カラー液晶表示パネルとする場合にはカラーフィルタが、フィルタ色の位置と画素位置を整合させて表示面側に配置される。
【００２４】
たとえば、画素アレイ部３には、ゲートドライバ部５から供給される行選択パルスを伝送する垂直走査線１２（ゲート線）とソースドライバ部６から供給されるソース出力電圧Ｖsourceを伝送して液晶素子を駆動するための水平走査線１４（信号線やデータ線とも称される）が形成されている。両者の交差部には画素セル３０が配置される。画素セル３０は、液晶素子３２、液晶素子３２の画素電極を駆動する薄膜トランジスタ３４（ＴＦＴ；Thin Film Transistor）、および画素信号を保持する保持容量３６（画素容量）を有する。図では、垂直走査線１２、水平走査線１４、および画素セル３０をそれぞれ１つ示しているが、画素セル３０が２次元マトリクス状に配置され、それらの画素セル３０に対して垂直走査線１２と水平走査線１４が配線される。
【００２５】
ゲートドライバ部５は、垂直走査線１２を介して各画素セル３０を順次選択する。ソースドライバ部６は、選択された画素セル３０に対し水平走査線１４を介して画像信号を書き込む。たとえば、ゲートドライバ部５は、階調基準電圧生成部２００からの基準ガンマ電圧Ｖγに基づきタイミングコントローラ部３００からの出力画像信号Ｖsoutに対してガンマ補正を施すガンマ補正回路やガンマ補正後の映像信号をサンプリングして出力画像信号Ｖsoutとして保持するサンプリング回路や、出力画像信号Ｖsoutを水平走査線１４を介して画素セル３０に供給する出力バッファなどを有する。出力バッファは論理ゲートの組合せ（ラッチも含む）によって構成され、画素アレイ部３の各画素セル３０を行単位で選択する。
【００２６】
なお、図１では、画素アレイ部３の一方側にのみゲートドライバ部５を配置する構成を示しているが、画素アレイ部３を挟んで左右両側にゲートドライバ部５を配置する構成を採ることも可能である。ソースドライバ部６は、シフトレジスタやサンプリングスイッチ（水平スイッチ）などによって構成され、ゲートドライバ部５によって選択された行の各画素セル３０に対して画素単位で映像信号を書き込む。なお、図１では、画素アレイ部３の一方側にのみソースドライバ部６を配置する構成を示しているが、画素アレイ部３を挟んで上下両側にソースドライバ部６を配置する構成を採ることも可能である。
【００２７】
ここでは、選択行の各画素セル３０に対して映像信号を画素単位で書き込む点順次駆動を例に挙げたが、選択行の各画素セル３０に対して映像信号を行単位で書き込む線順次駆動を採ることも可能である。
【００２８】
また、液晶表示装置１は、画素アレイ部３の周辺（図ではパネル外）に、主にソースドライバ部６用の電源電圧（以下ソース電源電圧Ｖsdと称する）を生成するソース電圧用供給電源部１００と、ソースドライバ部６用のγ（ガンマ、階調）カーブを示す階調基準電圧（以下基準ガンマ電圧Ｖγと称する）を生成する階調基準電圧生成部２００と、ゲートドライバ部５やソースドライバ部６に出力画像信号Ｖsoutやタイミング信号を伝送するタイミングコントローラ部３００を備える。さらに液晶表示装置１は、表示パネルを照明する照明部（光源、ライティング部）の一例であるバックライト部４００と、ソース電圧用供給電源部１００、階調基準電圧生成部２００、タイミングコントローラ部３００、バックライト部４００など、装置全体の動作を制御する表示輝度制御部の一例である制御・統括部５００を備える。なお、図示しないが、その他にもたとえば、主にゲートドライバ部５用の電源電圧Ｖgdを生成するゲート電源部なども設けられる。
【００２９】
ソース電圧用供給電源部１００は、ソース電源電圧Ｖsdを生成する電源生成部１０２を有する。たとえば、電源生成部１０２は、昇圧型のスイッチング電源であり、ＦＥＴ（Field-Effect Transistor ：電界効果トランジスタ）で構成されたスイッチングトランジスタ（以下ＳＷＴＲ１２２と記す）を具備するスイッチング駆動部１１０と、ＳＷＴＲ１２２で駆動されるコイル１２４と、整流用のダイオード１２６と、整流用のコンデンサ１２８を有する。
【００３０】
ＳＷＴＲ１２２のドレインと入力電源Ｖｉ（＜ソース電源電圧Ｖsd）との間にコイル１２４が設けられている。ＳＷＴＲ１２２のドレインとコイル１２４の一方の端子との接続点（ノードND_1と称する）にはダイオード１２６のアノードが接続され、ダイオード１２６のカソードと接地配線GND との間にコンデンサ１２８が設けられている。ダイオード１２６のカソードとコンデンサ１２８の一方の接続点をノードND_2と称する。ＳＷＴＲ１２２を含むスイッチング駆動部１１０は、一例として、スイッチング電源用のＩＣ（半導体集積回路に収容）にする。
【００３１】
ソース電圧用供給電源部１００は、通常時には予め定められている値のソース電源電圧Ｖsdをソースドライバ部６側に供給する。また、制御・統括部５００からの制御信号CN_1を介した指示に基づき、ソース電源電圧Ｖsdを適正な状態となるように上昇させる。
【００３２】
階調基準電圧生成部２００は、ソース電圧用供給電源部１００からのソース電源電圧Ｖsdを受け、たとえば抵抗分割回路を利用したアナログ方式やテーブルデータ（ルックアップテーブル）を利用したデジタル方式（たとえば８〜１２ビット）で、γカーブを規定する基準ガンマ電圧Ｖγをソースドライバ部６に供給する。たとえば、ソース電源電圧Ｖsdが通常時の値に対して標準のγカーブを与える基準ガンマ電圧Ｖγをソースドライバ部６に供給する。また、制御・統括部５００からの制御信号CN_2を介した指示に基づき、基準ガンマ電圧Ｖγを適正な状態にする。
【００３３】
タイミングコントローラ部３００は、入力画像信号Ｖsin を出力画像信号Ｖsoutに変換するレベル変換部３１０と、タイミング信号を生成するタイミングジェネレータ部３２０を備えている。レベル変換部３１０は、たとえば抵抗分割回路を利用したアナログ方式やテーブルデータ（ルックアップテーブル）を利用したデジタル方式（たとえば８〜１２ビット）で、入力画像信号Ｖsin を出力画像信号Ｖsoutに変換する。通常時は入力画像信号Ｖsin を出力画像信号Ｖsoutとしてソースドライバ部６に供給する。また、制御・統括部５００からの制御信号CN_3を介した指示に基づき、画像信号の入出力関係を修正する。
【００３４】
バックライト部４００は、調光機能や複数の照明体の異常検知機能を具備するバックライト駆動部４２０を備えている。バックライト駆動部４２０は、複数の照明体による発光輝度を制御して通常時には予め定められているバックライト輝度に設定する。また、制御・統括部５００からの制御信号CN_4を介した指示に基づき、バックライト輝度を所定量上昇させる。また、バックライト部４００は、照明体の異常を検知すると異常検知信号DET_NGを制御・統括部５００に通知する。
【００３５】
制御・統括部５００は、バックライト部４００の何れかの照明体に異常が発生し正常な発光が得られなくなったとき、ソース電圧用供給電源部１００を制御してソースドライバ部６に供給されるソース電源電圧Ｖsdを調整する、ソースドライバ部６から画素セル３０に送出されるソース出力電圧Ｖsourceを調整する、もしくは、バックライト部４００が表示パネルを照明する照明光の強度を調整することで、表示パネル全体の視聴輝度が均一となるように制御する。
【００３６】
この際、制御・統括部５００は先ず、バックライト部４００から通知される照明体別の異常検知信号DET_NGを監視して、冷陰極管４１０の異常（劣化や故障）が検知されると、アラームを出してユーザに通知し、交換を促すようにする。
【００３７】
加えて、制御・統括部５００は、異常検知信号DET_NGがアクティブなとき（つまり照明体に異常があるとき）、表示パネルにおける対応領域（表示異常領域T_NGと称する）に発生し得る視聴輝度低下を補正するようにソース電圧用供給電源部１００、階調基準電圧生成部２００、タイミングコントローラ部３００のレベル変換部３１０を制御する。つまり、制御・統括部５００は、異常検知信号DET_NGを監視し、液晶パネルにおける表示異常領域T_NGの輝度低下が補正されるように各部を制御することで、表示パネルの表示画面の輝度や色相が均一に維持されるようにする。補正の程度を如何様にするかは、照明体が非発光時の輝度低下部分布を推測して、予め適当に決めておくとよい。
【００３８】
好ましくは（必須ではないが）、液晶表示装置１は、図中に点線で示すように、ある照明体の発光を停止したとき（異常が発生したときと実質的に等価）の表示パネルにおける対応領域（表示異常領域T_NG）に発生し得る視聴輝度低下の分布状況を照明体別に半導体メモリなどに記憶する輝度低下分布記憶部５１２を有する構成を採る。この場合、制御・統括部５００と輝度低下分布記憶部５１２により、バックライト部４００の何れかの照明体に異常が発生し正常な発光が得られなくなったとき、ソース電圧用供給電源部１００を制御してソースドライバ部６に供給されるソース電源電圧Ｖsdを調整する、ソースドライバ部６から画素セル３０に送出されるソース出力電圧Ｖsourceを調整する、もしくは、バックライト部４００が表示パネルを照明する照明光の強度を調整することで、表示パネル全体の視聴輝度が均一となるように制御する表示輝度制御部９が構成される。
【００３９】
制御・統括部５００は、異常検知信号DET_NGがアクティブなとき（つまり照明体に異常があるとき）、輝度低下分布記憶部５１２に記憶されている照明体別の視聴輝度低下の分布状況を参照して、表示異常領域T_NGに発生し得る視聴輝度低下を補正するようにソース電圧用供給電源部１００、階調基準電圧生成部２００、タイミングコントローラ部３００のレベル変換部３１０を制御する。つまり、制御・統括部５００は、異常検知信号DET_NGを監視し、液晶パネルにおける表示異常領域T_NGの輝度低下が補正されるように各部を制御することで、表示パネルの表示画面の輝度や色相が均一に維持されるようにする。輝度低下分布記憶部５１２を備えた構成の方が、その装置に即した補正が実現できる。
【００４０】
このため、制御・統括部５００は、異常検知信号DET_NGをバックライト駆動部４２０から受け取ると、視聴輝度の補正を適正に行なうため、その異常検知信号DET_NGに対応する照明体による照明を完全に停止させる。たとえば、点灯と消灯を繰り返すような放電に起因する異常動作や適正輝度が得られない状態での点灯など、中途半端な動作状態のままにしておかないと言うことである。
【００４１】
制御・統括部５００は、好ましくは、制御・統括部５００の各照明体が異常となり発光しなくなったときの表示パネルの輝度むら、つまり発光しない照明体による輝度低下に基づく輝度低下分布の対応関係を予め特定して輝度低下分布記憶部５１２に記憶しておく。そして、予め特定しておいた発光しない照明体による輝度低下に基づく輝度低下分布の対応関係に基づき、表示異常領域T_NGの輝度が上昇するように、ソース電圧用供給電源部１００によるソース電源電圧Ｖsdの上昇、階調基準電圧生成部２００による基準ガンマ電圧Ｖγのカーブの調整、レベル変換部３１０による出力画像信号Ｖsoutの上昇、バックライト部４００によるバックライト輝度の調整を、「適正な状態」となるように制御する。このような制御を、照明体異常に対する輝度維持制御と称する。以下、その制御手法の一例を説明する。因みに、ソース電源電圧Ｖsdの上昇、基準ガンマ電圧Ｖγのカーブの調整、および出力画像信号Ｖsoutの上昇は画素セル３０を駆動するソース出力電圧Ｖsource（画素信号レベル）そのものに作用するものでいわゆるコントラスト調整に該当し、バックライト輝度の調整はソース出力電圧Ｖsourceに関わらず表示輝度レベル全体を上下させるものでいわゆるブライトネス調整に該当する。
【００４２】
ここで「適正な状態」とは、液晶パネル部におけるバックライト部４００の異常な照明体で照明される表示異常領域T_NGに発生し得る視聴輝度低下（そしてこれによる輝度むらや色相むら）を補正できるような状態を意味する。視聴輝度低下を補正できるような状態の形成のためには、必要に応じて、ソース電圧用供給電源部１００によるソース電源電圧Ｖsdの補正だけではなく階調基準電圧生成部２００による基準ガンマ電圧Ｖγのカーブやレベル変換部３１０による出力画像信号Ｖsoutの補正やバックライト部４００によるバックライト輝度の補正と組み合わせる。基本的な考え方は、表示異常領域T_NGの視聴輝度が異常発生前の視聴輝度と同じに維持されるようにする。
【００４３】
たとえば、表示正常領域T_OKの部分には通常通りの輝度レベル設定を行ない、垂直走査における表示異常領域T_NGの部分だけに対して、表示異常領域T_NGの視聴輝度が異常発生前の視聴輝度と同レベルとなる程度まで視聴輝度が上昇する方向に、ソース電源電圧Ｖsd、基準ガンマ電圧Ｖγのカーブ、入力画像信号Ｖsin と出力画像信号Ｖsoutの対応関係（画像信号の入出力関係）の何れか１つもしくは任意の組合せの補正を行なう第１の輝度維持制御方法を採る。この第１の輝度維持制御方法においてバックライト輝度の調整が適用されないのは、異常な照明体で照明されることで発生する表示異常領域T_NGのみのバックライト輝度を上昇させるには、その異常な照明体の発光輝度を上昇させることが必要になるが、実際にはこれは不可能だからである。
【００４４】
あるいは、表示異常領域T_NGの部分が元の表示輝度とほぼ同じになるように視聴輝度が上昇する方向に、パネル全面に対して、ソース電源電圧Ｖsd、基準ガンマ電圧Ｖγのカーブ、画像信号の入出力関係、バックライト輝度の何れか１つもしくは少なくとも１つを除く任意の組合せの第１の補正を行ない、さらに、この第１の補正により元の視聴輝度よりも上昇してしまうことになる表示異常領域T_NGを除く部分（表示正常領域T_OKと称する）に対して、上昇する方向に調整した分を相殺するように、表示正常領域T_OKの視聴輝度が表示異常領域T_NGの照明体の異常発生前の視聴輝度と同レベルとなる程度まで視聴輝度が低下する方向に、ソース電源電圧Ｖsd、基準ガンマ電圧Ｖγのカーブ、画像信号の入出力関係、バックライト輝度の内の第１の補正を適用済みのものを除く何れか１つもしくは任意の組合せの第２の補正を行なう第２の輝度維持制御方法を採る。
【００４５】
第１および第２の輝度維持制御方法の何れにおいても、ソース電源電圧Ｖsdを上昇させることは、ソースドライバ部６の発熱上昇を招く。このため、第１および第２の輝度維持制御方法の何れも、好ましくは、ソース電源電圧Ｖsdを上昇させる補正以外の補正を行なうのがよい。また、第２の輝度維持制御方法を採るときには、視聴輝度が上昇する方向に、パネル全面に対して、ソース電源電圧Ｖsdを除く基準ガンマ電圧Ｖγのカーブ、画像信号の入出力関係、バックライト輝度、バックライト輝度の何れか１つもしくは任意の組合せの補正を行ない、さらに、表示正常領域T_OKに対して、ソース電源電圧Ｖsdを低下させて視聴輝度が低下する方向に補正することで、ソースドライバ部６の発熱上昇を抑える付加的な効果を得ることもできる。
【００４６】
このような仕組みを採ることで、表示パネルの表示画面を照明体の位置に対応させて、照明体が非発光となることで発生する表示異常領域T_NGごとに輝度や色相を補正して、各照明体に対応する部分領域（照明体領域）が同一の輝度や色相となるように自動調整することで、何れかの照明体に異常が発生した場合でも、表示画面が均一な品質を維持できるようにする。
【００４７】
＜電源生成部の構成例＞
図２は、電源生成部１０２（特にスイッチング駆動部１１０）の詳細を説明する図である。先ず、電圧検出用のブリーダ抵抗１３２，１３４の直列回路がコンデンサ１２８と並列に接続されている。ブリーダ抵抗１３２がノードND_2側に配置され、ブリーダ抵抗１３４が接地配線GND 側に配置されている。ブリーダ抵抗１３２の抵抗値Ｒ_132とブリーダ抵抗１３４の抵抗値Ｒ_134の比により、ブリーダ抵抗１３２，１３４の接続点（ノードND_5と称する）に検知電圧Ｖsens（＝Ｖsd・Ｒ_134／（Ｒ_132＋Ｒ_134）が得られる。
【００４８】
スイッチング駆動部１１０は、基準電圧Ｖstd を生成する可変型の基準電源１１２と、基準電圧Ｖstd と検知電圧Ｖsensの差を増幅する電圧増幅部１１４と、電圧増幅部１１４による増幅結果（帰還信号Ｖｒ）に基づきＳＷＴＲ１２２をスイッチング駆動するＰＷＭドライバ１１６（ＰＷＭ：Pulse Width Modulation）を有する。基準電源１１２には制御・統括部５００からの制御信号CN_1が供給され、制御信号CN_1に基づき基準電圧Ｖstd を調整することでソース電源電圧Ｖsdを調整する。ＰＷＭドライバ１１６には、スイッチング駆動用の所定周波数（スイッチング周波数Ｆsw）の基準信号（たとえば三角波）が供給され、帰還信号Ｖｒに応じて、パルス波のデューティ比Ｄを変化させて、ＳＷＴＲ１２２を変調駆動する。ここで、デューティ比Ｄは、パルス幅τ（アクティブＨの幅）、スイッチング周期Ｔsw（＝１／Ｆsw）とすると、Ｄ＝τ／Ｔで示される。
【００４９】
電源生成部１０２は、全体として負帰還作用をなすように構成されており、ソース電源電圧Ｖsdを所望の値（本例ではＶstd ・（１＋Ｒ_132／Ｒ_134））に維持するように、検知電圧Ｖsensが基準電圧Ｖstd よりも低いときはＳＷＴＲ１２２のオン期間が長くなりソース電源電圧Ｖsdを上昇させ、逆に、検知電圧Ｖsensが基準電圧Ｖstd よりも高いときはＳＷＴＲ１２２のオン期間が短くなりソース電源電圧Ｖsdを下降させるように動作する。
【００５０】
ＳＷＴＲ１２２のオン期間で入力電源Ｖｉからコイル１２４およびＳＷＴＲ１２２を経由して接地配線GND に電流を流すことでコイル１２４にエネルギを蓄積し、ＳＷＴＲ１２２のオフ期間にコイル１２４に蓄積したエネルギにより負荷（ソースドライバ部６が大部分）側にソースドライバ供給電源電流Ｉｓを供給する。オン期間にＳＷＴＲ１２２に流れる電流とオフ期間にソースドライバ部６に流れるソースドライバ供給電源電流Ｉｓに流れる電流とは概ね（損失やソースドライバ部６以外分を除くと）同じと考えてよい。
【００５１】
＜バックライト部の構成例＞
図３は、バックライト部４００の詳細を説明する図である。バックライト部４００は、画素アレイ部３を主要部とする液晶表示パネルに近接して配設され、液晶表示パネルに光を照射する。バックライト部４００には、図３（１）に示すように、たとえば光ムラを補正するための拡散板４０２や、光の利用効率を向上させるための反射板４０４が設けられる。
【００５２】
バックライト部４００は、液晶表示パネルの色純度を良くするため、その分光特性をカラーフィルタの分光特性に適合させた３波長蛍光体や第４の波長成分（たとえば深紅成分）を含む４波長蛍光体を用いた冷陰極管（ＣＣＦＬ：Cold-Cathode Fluorescent Lamp ）が主として照明体（発光体）に使用される。冷陰極管を照明体に使用する照明装置は、点灯のために高電圧を必要とする、蛍光管の点灯・消灯が煩雑に繰り返されると寿命が短くなる、ガラス材によって形成されているため面状光源として形状の自由度に制限がある、などの難点がある。
【００５３】
なお、液晶ディスプレイの照明体は、冷陰極管に限らず、たとえば熱陰極管や発光ダイオード（ＬＥＤ：Light Emitting Diode）などを用いてもよい。また、フラット蛍光ランプ（ＦＦＬ：Flat Fluorescent Lamp ）やエレクトロルミネセンス（ＥＬ：Electro Luminescence）素子などの平面発光素子を使用してもよい。
【００５４】
発光ダイオードを用いたＬＥＤ照明装置をバックライトなどに使用する場合、白色ＬＥＤを配列して白色光の照明光を発光する方式や、Ｒ（赤），Ｇ（緑），Ｂ（青）の３原色のＬＥＤを配列し、これらの３原色の光を混色して白色光とする方式の何れをも採用し得る。３原色の光を混色して白色光とする方式を採用する場合は、何れか１色が異常になり発光しないと３原色の組としては中途半端な動作状態となりホワイトバランスが崩れるので、組内の残りのものについても発光を停止させる。
【００５５】
白色ＬＥＤを得る方式としては、たとえば、青色ＬＥＤチップに黄色の蛍光体を組み合わせて白色を得る方式、短波長ＬＥＤチップにＲＧＢ蛍光体を組み合わせて白色を得る方式、ＲＧＢの３色のＬＥＤチップの混光として白色を得る方式、補色となる２色のＬＥＤチップの混光として白色を得る方式など、何れの方式をも採用し得る。ＬＥＤを照明体に使用する照明装置は、冷陰極管などの蛍光管を利用した照明装置と比べて、低電圧で駆動できる、消費電力が少ない、寿命が長い、３色の混色を利用する方式のものでは色再現性の拡大やホワイトバランスの調整に自由度があるなどの利点がある。
【００５６】
ここで、バックライトの構造としては、液晶表示パネルの背後（直下）に照明体を並べて配置することで面状光源を形成するエリアライト方式あるいは直下方式と称される構造（ＤＬＴ：Direct-Lit Configuration）や、面状光源を形成するために液晶パネルの背後に置いた導光板の側面に照明体を配したエッジライト方式あるいは導光板方式と称される構造（ＥＬＣ：Edge-Lit Configuration）などが存在している。たとえば、冷陰極管を用いてエリアライト方式の面状光源とする際には、複数の冷陰極管を並列接続して各冷陰極管の輝度を同一にして輝度の均等を保つ構成が採用されるのが一般的である。ＬＥＤを用いてエリアライト方式の面状光源とする際には、複数のＬＥＤ素子を直列接続した直列ユニットを並列接続して各直列ユニットの輝度を同一にして輝度の均等を保つ構成が採用されるのが一般的である。
【００５７】
本実施形態では、何れをも採用し得るが、輝度の側面では光利用効率が比較的高いエリアライト方式の方が高輝度のバックライトが実現できるので好ましい。一方、厚みの側面では、エリアライト方式の場合、厚みが大きくなり、薄型化が要求される場合にはエッジライト方式を採るのがよい。因みに、照明体の劣化や故障による輝度斑（むら）や色度斑（むら）（纏めて表示むらと称する）の側面では、エッジライト方式よりもエリアライト方式の方が視認され易い難点もある。
【００５８】
何れの方式においても、パネルを照明する光は不均一性を有し、特に平面発光素子を使用しない場合には顕著である。このバックライト部４００の光の不均一性は、液晶表示装置の表示品質に影響を与え、具体的には、輝度むらや色相むらとして現われ、パネルサイズが大型化する程顕著となる。本実施形態では、その対策として光の均一化を図るべく拡散板４０２を使用している。なお、図示しないが、拡散板４０２の他にも、たとえば、拡散板４０２と液晶パネルとの間には、照明光に配光特性や輝度分散特性を与えるために、拡散板やプリズムシートなどの光学シートを備えるようにする。
【００５９】
図３は、輝度優先として、複数本の冷陰極管を照明体に使用した直下方式を採用する場合の構成例を示している。冷陰極管を用いたバックライトの点灯にはたとえば数１０〜数１００ＫＨｚ程度の高周波と５００〜１．５ＫＶｐ-ｐ 程度の高電圧が必要であり、このために低消費電力化をも考慮して高効率のインバータ回路を使用する構成を採る。具体的には、図示のように、本実施形態のバックライト部４００は、複数本の冷陰極管４１０およびインバータ部４２４を具備するバックライト駆動部４２０を主要な構成要素として有する。図３（１）に示すように、照明体異常（本例では冷陰極管４１０の異常）に対する輝度維持制御を効果的に実現するべく、各冷陰極管４１０は、その長手方向を水平走査方向と平行に配置し、それを垂直方向に複数本並べた構造を採る。
【００６０】
図３（２）に示すように、冷陰極管４１０には、バックライト駆動部４２０から正弦波電圧が印加される。これにより、冷陰極管４１０に正弦波電流が流れる。このとき、全ての冷陰極管４１０を同一極性の正弦波で駆動すると液晶表示パネルの駆動回路と干渉を起こし、液晶表示パネル上に干渉縞状のノイズが発生してしまう。この問題を回避するために、本実施形態のバックライト部４００は、冷陰極管４１０を複数のグループに分けて互いに異なる位相の（典型例は２グループに分け互いに極性が逆の）高圧正弦波電圧で駆動する。このため、バックライト駆動部４２０のインバータ部４２４としては、冷陰極管４１０ごとにインバータ回路を備える構成を採りつつ、たとえば奇数番目の冷陰極管４１０_oは正極高圧出力で駆動し、偶数番目の冷陰極管４１０_eは負極高圧出力で駆動するようにする。
【００６１】
また、本実施形態のバックライト部４００は、バックライト輝度を調整するための調光機能も備えている。調光機能は、照明体の一例である冷陰極管４１０に電圧を供給して発光させるとともにその発光輝度を変化させる機能であり、当該調光機能を実現するに当たっては、電圧調光方式、デューティ調光方式（バースト調光方式あるいはチョッパ制御方式とも称される）、電流調光方式、あるいはこれらを任意に組み併せた方式など、様々な仕組みを採ることができる。
【００６２】
たとえば、バックライト駆動部４２０は、直流入力電圧ＶBLを調整する調光部４２２と、調光部４２２により電圧調整された調整電圧Ｖadj の元で冷陰極管４１０に数１０ＫＨｚ〜数１００ＫＨｚの高周波電圧を供給するインバータ部４２４と制御用のトランジスタ４２６を備える。
【００６３】
調光部４２２は、たとえば、図示しないトランジスタをオン／オフしてパルス幅制御することにより直流入力電圧ＶBLを調整してインバータ部４２４に調整電圧Ｖadj を供給する。
【００６４】
インバータ部４２４は、発振トランスを利用した公知の高周波発振回路を使用すればよい。たとえば、発振トランスの２次巻線側に冷陰極管４１０を配し、発振トランスの１次巻線と並列コンデンサおよびこれらを駆動する直列接続された１対の発振トランジスタで共振回路を形成し、また発振トランスの２次巻線に対して帰還巻線を形成する。そして、発振トランジスタのベースに帰還巻線により正帰還をかけて１対の発振トランジスタを交互にオン／オフさせることにより高周波発振させ、これにより得られる高周波電圧を冷陰極管４１０に供給する。
【００６５】
ここで、調光部４２２は、電圧調光方式を採る場合、ランプ電圧可変信号に応じて電圧源をなすトランジスタ（電圧制御トランジスタ４２６ａ）のベース電圧を制御することによってインバータ部４２４に供給される調整電圧Ｖadj を調整することで調光する。調整電圧Ｖadj を低下させてランプ輝度を低くし、逆に、調整電圧Ｖadj を上昇させてランプ輝度を高くする。過度に調整電圧Ｖadj を低下させると冷陰極管４１０の点灯自体ができなくなるし、過度に調整電圧Ｖadj を上昇させると寿命が低下する点に注意を要する。このため、通常輝度を得られる調整電圧Ｖadj を１００％として、ランプ点灯を維持できる範囲でランプ輝度を低下させる方向に調整する。
【００６６】
また、調光部４２２は、デューティ調光方式を採る場合、調整電圧Ｖadj を監視して一定に維持しながら、デューティ信号に応じてＰＷＭ制御用のトランジスタ（スイッチングトランジスタ４２６ｂ）をオン／オフ制御することでインバータ部４２４に供給される調整電圧Ｖadj に供給期間と非供給期間を形成して、冷陰極管４１０が点灯する期間と消灯する期間との比を制御することによってランプ輝度を制御する。非供給期間（つまり消灯期間）を長くしてランプ輝度を低くし、逆に、供給期間（つまり点灯期間）を長くしてランプ輝度を高くする。過度に消灯期間を長くすると連続したランプ点灯が維持できなくなる点に注意を要する。このため、デューティ（＝点灯期間／（点灯期間＋消灯期間）が１００％時に通常輝度が得られるようにし、ランプ点灯を維持できる範囲でランプ輝度を低下させる方向にデューティを調整する。
【００６７】
また、調光部４２２は、電流調光方式を採る場合、ランプ電流可変信号に応じて電流源をなすトランジスタ（電流制御トランジス４２６ｃ）のベース電圧を制御することによって、電源からインバータ部４２４に供給される電流（ランプ調整電流）を、換言すると冷陰極管４１０に流れるランプ電流Ｉlampを調整する。ランプ電流Ｉlampを低下させてランプ輝度を低くし、逆に、ランプ電流Ｉlampを上昇させてランプ輝度を高くする。過度にランプ電流Ｉlampを低下させると冷陰極管４１０の点灯自体ができなくなるし、過度にランプ電流Ｉlampを上昇させると寿命が低下する点に注意を要する。このため、通常輝度を得られるランプ電流Ｉlampを１００％として、ランプ点灯を維持できる範囲でランプ輝度を低下させる方向に調整する。
【００６８】
＜照明体の異常検知＞
また、本実施形態のバックライト部４００は、各冷陰極管４１０を個別に駆動する構成を採り、各冷陰極管４１０に流れるランプ電流の増減を監視することで、照明体の異常を個々に検出する照明体異常検知部４４０を備えている。
【００６９】
照明体は、冷陰極管４１０などの蛍光体であれＬＥＤであれ、初期不良の他に、少なからず経年劣化による異常の発生により正常に点灯しないことが起こり得る。照明体異常検知部４４０は、この照明体の異常を検知するものである。異常を検知する方式としては、照明体が何であるかによっても異なるが、基本的には、電流検知方式と電圧検知方式とその他の方式に大別でき、照明体異常検知部４４０としては、基本的には、その何れをも採用し得る。電流検知方式は照明体に流れる電流を電流検出用抵抗などを利用するなどして直接的にあるいは間接的に監視しながら、基準電流と比較して異常か否かを判断する。電圧検知方式は、照明体に印加される電圧を直接的にあるいは間接的に監視しながら、基準電圧と比較して異常か否かを判断する。その他の方式としては、たとえば、照明体が蛍光体である場合、蛍光体やトランスの近傍にコロナ放電の有無を検知する検知コイル（銅箔パターンなどを利用してもよい）を配置し、コロナ放電の有無に基づき蛍光体が異常か否かを判断する。その他の方式としては、コロナ放電の有無を検知する方式以外にも様々な方式が知られているがここではその説明を割愛する。
【００７０】
図３（２）は、照明体が冷陰極管４１０である場合において、照明体異常検知部４４０が電流検出方式を採用した構成例で示している。照明体異常検知部４４０は、冷陰極管４１０の電流帰還側の端子に配された電流検出抵抗４４２と異常判定部４４４を有する。異常判定部４４４は、電流検出抵抗４４２の両端に発生し得る電圧を監視し、その電圧が正常範囲にないときには冷陰極管４１０に異常があると判断する。たとえば、異常判定部４４４は、冷陰極管４１０に高電圧放電による異常電流が流れたときに電流検出抵抗４４２の両端に生じるスパイク電圧を検出し基準電圧と比較して異常か否かを判定し、異常であるときには異常検知信号DET_NGを制御・統括部５００に通知する。あるいは、異常判定部４４４は、冷陰極管４１０が点灯しないことで電流検出抵抗４４２の両端に電圧が発生しないときには異常検知信号DET_NGを制御・統括部５００に通知する。
【００７１】
＜照度分布と視聴輝度分布の状況＞
図４は、ある照明体の発光を停止したときの表示パネルを照射する面状光源の照度分布むらと、この照度分布むらに起因する表示パネルにおける表示異常領域T_NGに発生し得る視聴輝度分布むらの状況の関係を説明する図である。図５は、輝度低下分布記憶部５１２に記憶される照明体ごとの視聴輝度低下の分布状況を説明する図である。
【００７２】
図４中の左側に示すように、複数本の冷陰極管４１０が垂直走査方向に所定間隔を隔てて配列され、その表示パネル側には拡散板４０２が配されることで面状光源が形成されている。拡散板４０２は、各冷陰極管４１０から出射される照明光の合成成分により表示パネルを照射する面状光源を形成し、その面状光源の照度分布を均一にするためのものである。
【００７３】
拡散板４０２の存在により、図４（１）に示すように、全ての冷陰極管４１０が正常にかつ略同一の照度レベルで発光していると、表示パネル側における照度分布は、図中の中央に示すように、概ねレベルＬ_1で均一となっている。なお、微視的には多少の照度むらが存在することは否めないが、ここではその成分は無視する。その結果、画素アレイ部３の各画素セル３０に同一の画素信号が供給されているときには、図中の右側に示すように、基本的には表示むら（輝度むら）のない状態となり、概ねレベルＹ_1で均一となっている。
【００７４】
一方、図４（２）に示すように、たとえば、上から４番目の冷陰極管４１０（異常冷陰極管４１０_NG ）に異常があり発光せず、残りの冷陰極管４１０が正常にかつ同一の照度レベルで発光していると、図中の中央に示すように、たとえ拡散板４０２が存在していたとしても、異常冷陰極管４１０_NG に対応する部分では面状光源の照明光は照度レベルがレベルＬ_1とはならず少し低下し照度むらが発生してしまう。その結果、画素アレイ部３の各画素セル３０に同一の画素信号が供給されているときには、図中の右側に示すように、異常冷陰極管４１０_NG に対応する部分では、視聴輝度がレベルＹ_1とはならず少し低下し輝度むらが発生してしまう。
【００７５】
この異常冷陰極管４１０_NG の部分での照明光や視聴輝度のレベル低下の度合いは、各冷陰極管４１０の発光輝度および放射角や拡散板４０２の拡散効率とも関係するもので、液晶表示装置１の設計時点で概ね特定することができる。制御・統括部５００は、設計時に特定しておいた視聴輝度のレベル低下の度合いに基づき、異常冷陰極管４１０_NG の部分における視聴輝度レベルの低下を、ソース電圧用供給電源部１００によるソース電源電圧Ｖsdの上昇、階調基準電圧生成部２００による基準ガンマ電圧Ｖγのカーブの補正、レベル変換部３１０による出力画像信号Ｖsoutの上昇、バックライト部４００によるバックライト輝度の調整により補正する。
【００７６】
なお、異常冷陰極管４１０_NG の部分での照明光や視聴輝度のレベル低下の度合いは、装置ごとや経時特性によっても左右されることは否めない。この対処のためには、輝度低下分布記憶部５１２を設けておき、図５に示すように、冷陰極管４１０（図では４１０_1〜４１０_6についてのみ示す）を１つずつ非発光状態にして、異常発生時の照明光レベル低下に起因する視聴輝度低下の分布状況を冷陰極管４１０ごとに測定して、その冷陰極管４１０ごとの測定結果を輝度低下分布記憶部５１２に記憶して、輝度低下補正時にはその記憶情報を参照する仕組みを採ってもよい。図５において、照度分布Ｋは冷陰極管４１０_kを非発光状態としたときの輝度分布の測定結果である。
【００７７】
なお、輝度低下分布記憶部５１２に記憶させる輝度分布の取得に当たっては、各画素セル３０に同一の画素信号を供給し、ある冷陰極管４１０の発光を停止させたときに、公知のセンサを使用して、パネル全面の視聴輝度の分布を測定すればよい。一例としては、特許文献１に記載の仕組みと同様の測定手法を適用してもよい。
【００７８】
＜照明体異常に対する輝度維持制御方法：基本原理＞
図６は、照明体異常に対する輝度維持制御方法の基本原理を説明する図である。
【００７９】
図６（１）に示す第１の輝度維持制御方法は、図６（１）の中央部に示す補正輝度分布COMP_1のように、異常冷陰極管４１０_NG に対応する表示異常領域T_NGの部分だけに対して、視聴輝度が上昇する方向に、ソース電源電圧Ｖsd、基準ガンマ電圧Ｖγのカーブ、画像信号の入出力関係、バックライト輝度の何れか１つもしくは任意の組合せの補正を行なう。
【００８０】
こうすることで、図６（１）の右側に示す補正後の視聴輝度分布Ｙ_2は、異常冷陰極管４１０_NG に対応する部分で照度低下のある状態の照度分布Ｌ_1と補正輝度分布COMP_1の合成となり、異常冷陰極管４１０_NG に対応する部分での輝度低下が補正される。図では補正量が不十分な場合で示しているが、補正が完全であれば、図４（１）に示した正常時の視聴輝度分布Ｙ_1と同じになる。
【００８１】
一方、図６（２）に示す第２の輝度維持制御方法は、先ず、図６（２）の左から２番目に示す第１の補正輝度分布COMP_1のように、異常冷陰極管４１０_NG に対応する表示異常領域T_NGの部分が元の視聴輝度とほぼ同じになるように、視聴輝度が上昇する方向に、パネル全面に対して、ソース電源電圧Ｖsd、基準ガンマ電圧Ｖγのカーブ、画像信号の入出力関係、バックライト輝度の何れか１つもしくは少なくとも１つを除く任意の組合せの補正を行なう。さらに、図６（２）の右から２番目に示す第２の補正輝度分布COMP_2のように、この第１の補正により元の視聴輝度よりも上昇してしまうことになる表示異常領域T_NGを除く表示正常領域T_OKに対して、視聴輝度が低下する方向に、ソース電源電圧Ｖsd、基準ガンマ電圧Ｖγのカーブ、画像信号の入出力関係の内の残り（補正輝度分布COMP_1のために使用しなかったもの）、バックライト輝度の何れか１つもしくは任意の組合せの補正を行なう。
【００８２】
こうすることで、図６（２）の右側に示す補正後の視聴輝度分布Ｙ_2は、異常冷陰極管４１０_NG に対応する部分で照度低下のある状態の照度分布Ｌ_1と第１の補正輝度分布COMP_1および第２の補正輝度分布COMP_2の合成となり、異常冷陰極管４１０_NG に対応する部分での輝度低下が補正される。図では補正量が不十分な場合で示しているが、補正が完全であれば、図４（１）に示した正常時の視聴輝度分布Ｙ_1と同じになる。
【００８３】
第１の輝度維持制御方法は、表示異常領域T_NGについてのみ画素セル３０を駆動するソース出力電圧Ｖsourceを補正するので、その制御が第２の輝度維持制御方法よりも容易である利点がある。一方、第２の輝度維持制御方法は、表示異常領域T_NGのみでなく表示正常領域T_OKについてもソース出力電圧Ｖsourceを補正するので、その制御が第１の輝度維持制御方法よりも複雑になるが、バックライト輝度の制御も適用できるので、制御の自由度が大きくなる利点がある。
【００８４】
＜照明体異常に対する輝度維持制御方法：第１実施形態＞
図７は、照明体異常に対する輝度維持制御方法の第１実施形態を説明する図である。第１実施形態の輝度維持制御方法は、ソース電圧用供給電源部１００によりソース電源電圧Ｖsdを変化させることで、冷陰極管４１０に異常が発生した際の視聴輝度維持対策を行なう点に特徴を有する。なお、後述する他の実施形態も含めて、理解を容易にするため、特段の断りのない限り、白黒（モノクロ）液晶表示パネルであるものとして説明する。
【００８５】
たとえば、第１の輝度維持制御方法を採る場合、制御・統括部５００は、ある冷陰極管４１０について異常検知信号DET_NGを照明体異常検知部４４０から受け取ると、ソース電圧用供給電源部１００を制御することで垂直走査における表示異常領域T_NGに対応する部分では、ソース電源電圧Ｖsdを通常レベルよりも所定量上昇させることで補正輝度分布COMP_1が得られるようにする。
【００８６】
あるいは、第２の輝度維持制御方法を採る場合において、全体の視聴輝度レベルを上昇させる際には、制御・統括部５００は、ある冷陰極管４１０について異常検知信号DET_NGを照明体異常検知部４４０から受け取ると、ソース電圧用供給電源部１００を制御することで垂直走査における全体についてソース電源電圧Ｖsdを通常レベルよりも所定量上昇させることで第１の補正輝度分布COMP_1が得られるようにする。また、表示正常領域T_OKの視聴輝度レベルを低下させる際には、垂直走査の表示正常領域T_OKに対応する部分ではソース電源電圧Ｖsdを通常レベルよりも所定量低下させることで第２の補正輝度分布COMP_2が得られるようにする。
【００８７】
ソース電源電圧Ｖsdはソースドライバ部６だけでなく階調基準電圧生成部２００にも供給されており、ソース電源電圧Ｖsdを変化させると、階調基準電圧生成部２００が生成する基準ガンマ電圧Ｖγのカーブ（たとえば入力階調レベル０〜２５５に対しての出力レベル変化を示すもの）が変化する。これによって、結果的には、画素セル３０を駆動するソース出力電圧Ｖsourceが変化し、視聴輝度レベルが調整される。
【００８８】
具体的には、図７（１−１）に示すように、変更前のソース電源電圧ＶsdをＶsd_0、上昇側への変更後のソース電源電圧ＶsdをＶsd_1とすると、入力階調レベル０〜２５５に対して０〜Ｖsd_0の範囲でγカーブ（階調カーブ）を設定していたものが、調整後には０〜Ｖsd_1の範囲でγカーブを設定するようになる。その結果、調整後には、図７（１−２）に示すように、同一の出力画像信号Ｖsout（つまり同一の入力画像信号Ｖsin ）に対するソース出力電圧Ｖsourceが大きくなり輝度レベルは上昇する。また、図７（２−１）に示すように、低下側への変更後のソース電源電圧ＶsdをＶsd_2とすると、調整後には０〜Ｖsd_2の範囲でγカーブを設定するようになる。その結果、調整後には、図７（２−２）に示すように、同一の出力画像信号Ｖsout（つまり同一の入力画像信号Ｖsin ）に対するソース出力電圧Ｖsourceが小さくなり輝度レベルは低下する。
【００８９】
以上説明したように、第１実施形態の輝度維持制御方法によれば、冷陰極管４１０の異常の有無を照明体異常検知部４４０で監視することで、それをフィードバックして、ソース電圧用供給電源部１００によるソース電源電圧Ｖsdの調整による視聴輝度の制御を行なうようにしたので、同一入力画像信号Ｖsin に対して、異常冷陰極管４１０_NG の部分でも他の表示正常領域T_OKとほぼ同じ視聴輝度レベルに調整することで、液晶表示パネルの表示画面が均一になるようにできる。
【００９０】
なお、前述の説明では、白黒（モノクロ）液晶表示パネルであるものとして説明したが、カラー液晶表示パネルとする場合には、たとえばＲ（赤），Ｇ（緑），Ｂ（青）の色分離フィルタ（その集合物をカラーフィルタと称する）が、色分離フィルタの各色の位置と画素セル３０の位置を整合させて表示面側に配置される。ここで、液晶表示パネルにおけるソース出力電圧Ｖsourceとバックライト部４００から発せられた照明光の透過率の関係に着目すると、液晶表示パネルから透過する光の量は画素セル３０に印加されるソース出力電圧Ｖsourceによって制御される。カラー液晶表示パネルの場合には、Ｒ，Ｇ，Ｂ各色の透過率曲線にずれがある。この透過率曲線のずれを考慮した駆動を行なわないとホワイトバランスが崩れ色相むらが視認される。よって、カラー表示対応の場合において、ソース電源電圧Ｖsdを調整するときには、Ｒ，Ｇ，Ｂ各色の透過率曲線のずれを考慮したソース電源電圧Ｖsdの制御（その調整結果としてソース出力電圧Ｖsourceの制御：色別の視聴輝度の制御）を行なうことで、ホワイトバランスが崩れないようにする点に留意するのがよい。このホワイトバランスが崩れないようにする点は、後述する他の実施形態でも同様である。
【００９１】
＜照明体異常に対する輝度維持制御方法：第２実施形態＞
図８は、照明体異常に対する輝度維持制御方法の第２実施形態を説明する図である。第２実施形態の輝度維持制御方法は、階調基準電圧生成部２００により基準ガンマ電圧Ｖγのカーブを調整することで、冷陰極管４１０に異常が発生した際の視聴輝度維持対策を行なう点に特徴を有する。
【００９２】
たとえば、第１の輝度維持制御方法を採る場合、制御・統括部５００は、ある冷陰極管４１０について異常検知信号DET_NGを照明体異常検知部４４０から受け取ると、階調基準電圧生成部２００を制御することで垂直走査における表示異常領域T_NGに対応する部分では、基準ガンマ電圧Ｖγのカーブの変化率を通常レベルよりも大きくさせることで補正輝度分布COMP_1が得られるようにする。
【００９３】
また、第２の輝度維持制御方法を採る場合において、全体の視聴輝度レベルを上昇させる際には、制御・統括部５００は、ある冷陰極管４１０について異常検知信号DET_NGを照明体異常検知部４４０から受け取ると、階調基準電圧生成部２００を制御することで垂直走査における全体について基準ガンマ電圧Ｖγのカーブの変化率を通常レベルよりも大きくさせることで第１の補正輝度分布COMP_1が得られるようにする。また、第２の輝度維持制御方法を採る場合において、表示正常領域T_OKの視聴輝度レベルを低下させる際には、垂直走査の表示正常領域T_OKに対応する部分では基準ガンマ電圧Ｖγのカーブの変化率を通常レベルよりも小さくさせることで第２の補正輝度分布COMP_2が得られるようにする。階調基準電圧生成部２００が生成する基準ガンマ電圧Ｖγのカーブ（たとえば入力階調レベル０〜２５５に対しての出力レベル変化を示すもの）を変化させることで、結果的には、画素セル３０を駆動するソース出力電圧Ｖsourceが変化し、視聴輝度レベルが調整される。
【００９４】
具体的には、図８（１−１）に示すように、変更前の基準ガンマ電圧ＶγをＶγ_0、変化率を大きくした基準ガンマ電圧ＶγをＶγ_1とすると、入力階調レベル０〜２５５に対して０〜Ｖsd_0の範囲でＶγ_0のカーブ（階調カーブ）を設定していたものが、調整後には０〜Ｖsd_0の範囲でＶγ_1のカーブを設定するようになる。その結果、調整後には、図８（１−２）に示すように、同一の出力画像信号Ｖsout（つまり同一の入力画像信号Ｖsin ）に対するソース出力電圧Ｖsourceが大きくなり輝度レベルは上昇する。また、図８（２−１）に示すように、変化率を小さくした基準ガンマ電圧ＶγをＶγ_2とすると、入力階調レベル０〜２５５に対して調整後には０〜Ｖsd_0の範囲でＶγ_2のカーブを設定するようになる。その結果、調整後には、図８（２−２）に示すように、同一の出力画像信号Ｖsout（つまり同一の入力画像信号Ｖsin ）に対するソース出力電圧Ｖsourceが小さくなり輝度レベルは低下する。
【００９５】
ただし、変化率を大きくした基準ガンマ電圧Ｖγ_1のカーブの場合、０〜Ｖsd_0よりも大きな範囲でＶγ_1のカーブを設定することになるが、実際には、ソースドライバ部６のガンマ補正部では、ソース電源電圧Ｖsd_0を超えてガンマ補正を行なうことはできず、その影響は主に入力階調レベルが大きな高輝度側に現われる。具体的には、図８（３）に示すように、入力階調レベルの大きな高輝度部分（たとえば階調レベル２３０以降）の階調変化を表すことができない。そこで、階調基準電圧生成部２００は、たとえば、図８（４）に示すように、出力階調が２５５となるよりも少し手前（たとえば入力階調レベル２１０）〜２５５間では入力階調レベル変化（階調レベル２１０〜２５５）に応じて出力レベル変化が得られるようにしておくとよい。
【００９６】
以上説明したように、第２実施形態の輝度維持制御方法によれば、冷陰極管４１０の異常の有無を照明体異常検知部４４０で監視することで、それをフィードバックして、階調基準電圧生成部２００による基準ガンマ電圧Ｖγ_1のカーブの調整による視聴輝度の制御を行なうようにしたので、第１実施形態路同様に、同一入力画像信号Ｖsin に対して、異常冷陰極管４１０_NG の部分でも他の表示正常領域T_OKとほぼ同じ視聴輝度レベルに調整することで、液晶表示パネルの表示画面が均一になるようにできる。
【００９７】
＜照明体異常に対する輝度維持制御方法：第３実施形態＞
図９は、照明体異常に対する輝度維持制御方法の第３実施形態を説明する図である。第３実施形態の輝度維持制御方法は、タイミングコントローラ部３００のレベル変換部３１０により画像信号の入出力関係を調整することで、冷陰極管４１０に異常が発生した際の視聴輝度維持対策を行なう点に特徴を有する。
【００９８】
たとえば、第１の輝度維持制御方法を採る場合、制御・統括部５００は、ある冷陰極管４１０について異常検知信号DET_NGを照明体異常検知部４４０から受け取ると、レベル変換部３１０を制御することで垂直走査における表示異常領域T_NGに対応する部分では、入力画像信号Ｖsin よりも出力画像信号Ｖsoutが大きくなるようにすることで補正輝度分布COMP_1が得られるようにする。
【００９９】
また、第２の輝度維持制御方法を採る場合において、全体の視聴輝度レベルを上昇させる際には、制御・統括部５００は、ある冷陰極管４１０について異常検知信号DET_NGを照明体異常検知部４４０から受け取ると、レベル変換部３１０を制御することで垂直走査における全体について入力画像信号Ｖsin よりも出力画像信号Ｖsoutが大きくなるようにすることで第１の補正輝度分布COMP_1が得られるようにする。また、表示正常領域T_OKの視聴輝度レベルを低下させる際には、垂直走査の表示正常領域T_OKに対応する部分では入力画像信号Ｖsin よりも出力画像信号Ｖsoutが小さくなるようにすることで第２の補正輝度分布COMP_2が得られるようにする。レベル変換部３１０が生成する出力画像信号Ｖsoutが入力画像信号Ｖsin よりも大きくなるように、あるいは小さくなるように画像信号の入出力関係を変化させることで、階調基準電圧生成部２００による基準ガンマ電圧Ｖγ_1のカーブの調整と同じ効果が得られ、結果的には、画素セル３０を駆動するソース出力電圧Ｖsourceが変化し、視聴輝度レベルが調整される。
【０１００】
具体的には、図９（１−１）に示すように、変更前の入出力関係を示す特性線をＩＯ_0に対して、変更した特性線ＩＯ_1は、入力画像信号Ｖsin よりも出力画像信号Ｖsoutの方が大きくなるようにすることで、階調基準電圧生成部２００が生成するγカーブに突き当てる入力階調レベルを予め大きくしておく。その結果、ソース電源電圧Ｖsdやγカーブを調整しなくても、画像信号の入出力関係の調整後には、図９（１−２）に示すように、同一の入力画像信号Ｖsin に対するソース出力電圧Ｖsourceが大きくなり輝度レベルは上昇する。また、図９（２−１）に示すように、変更した特性線ＩＯ_2は、入力画像信号Ｖsin よりも出力画像信号Ｖsoutの方が小さくなるようにすることで、階調基準電圧生成部２００が生成するγカーブに突き当てる入力階調レベルを予め小さくしておく。その結果、ソース電源電圧Ｖsdやγカーブを調整しなくても、画像信号の入出力関係の調整後には、図９（２−２）に示すように、同一の入力画像信号Ｖsin に対するソース出力電圧Ｖsourceが小さくなり輝度レベルは低下する。
【０１０１】
ただし、入力画像信号Ｖsin よりも出力画像信号Ｖsoutの方が大きくなるようにした特性線ＩＯ_1の場合、０〜Ｖsd_0よりも大きな範囲で特性線ＩＯ_1を設定することになるが、実際には、ソースドライバ部６のガンマ補正部では、ソース電源電圧Ｖsd_0を超えてガンマ補正を行なうことはできず、その影響は主に入力階調レベルが大きな高輝度側に現われる。具体的には、図９（３）に示すように、入力階調レベルの大きな高輝度部分（たとえば階調レベル２３０以降）の階調変化を表すことができない。そこで、階調基準電圧生成部２００は、たとえば、図９（４）に示すように、出力階調が２５５となるよりも少し手前（たとえば入力階調レベル２１０）〜２５５間では入力階調レベル変化（階調レベル２１０〜２５５）に応じて出力レベル変化が得られるようにしておくとよい。
【０１０２】
以上説明したように、第３実施形態の輝度維持制御方法によれば、冷陰極管４１０の異常の有無を照明体異常検知部４４０で監視することで、それをフィードバックして、レベル変換部３１０による画像信号の入出力特性の調整による視聴輝度の制御を行なうようにしたので、第１実施形態路同様に、同一入力画像信号Ｖsin に対して、異常冷陰極管４１０_NG の部分でも他の表示正常領域T_OKとほぼ同じ視聴輝度レベルに調整することで、液晶表示パネルの表示画面が均一になるようにできる。
【０１０３】
＜照明体異常に対する輝度維持制御方法：第４実施形態＞
図１０は、照明体異常に対する輝度維持制御方法の第４実施形態を説明する図である。第４実施形態の輝度維持制御方法は、バックライト部４００の調光部４２２によりバックライト輝度を調整することで、冷陰極管４１０に異常が発生した際の視聴輝度維持対策を行なう点に特徴を有する。なお、このバックライト輝度の調整は、当然のことながら、異常冷陰極管４１０_NG に対しては適用し得ないので、事実上、第２の輝度維持制御方法のみを採り得る。
【０１０４】
たとえば、第２の輝度維持制御方法を採る場合において、全体の視聴輝度レベルを上昇させる際には、制御・統括部５００は、ある冷陰極管４１０について異常検知信号DET_NGを照明体異常検知部４４０から受け取ると、調光部４２２を制御することで垂直走査における全体についてバックライト輝度を通常レベルよりも上昇させることで第１の補正輝度分布COMP_1が得られるようにする。また、表示正常領域T_OKの視聴輝度レベルを低下させる際には、垂直走査の表示正常領域T_OKに対応する部分ではバックライト輝度を通常レベルよりも低下させることで第２の補正輝度分布COMP_2が得られるようにする。バックライト輝度通常レベルよりも大きくなるように、あるいは小さくなるように変化させることで、いわゆるブライトネスが調整されるので、結果的には、画素セル３０を駆動するソース出力電圧Ｖsourceが同じであっても、視聴輝度レベルが調整される。
【０１０５】
具体的には、図１０（１）に示すように、変更前のバックライト輝度の状態での視聴輝度の階調特性線Ｇ_0に対して、バックライト部４００（詳しくは正常な冷陰極管４１０）が出力する発光輝度（バックライト輝度）が高くなるように制御する。その結果、ソース電源電圧Ｖsdやγカーブを調整しなくても、バックライト輝度の調整後の階調特性線Ｇ_1は、図１０（１）に示すように、同一の入力画像信号Ｖsin （入力階調レベル）に対する視聴輝度レベルは上昇する。また、図１０（２）に示すように、バックライト部４００（詳しくは正常な冷陰極管４１０）が出力する発光輝度（バックライト輝度）が低くなるように制御すると、ソース電源電圧Ｖsdやγカーブを調整しなくても、バックライト輝度の調整後の階調特性線Ｇ_2は、同一の入力画像信号Ｖsin （入力階調レベル）に対する視聴輝度レベルは低下する。
【０１０６】
以上説明したように、第４実施形態の輝度維持制御方法によれば、冷陰極管４１０の異常の有無を照明体異常検知部４４０で監視することで、それをフィードバックして、バックライト部４００の調光部４２２によるバックライト輝度の調整による視聴輝度の制御を行なうようにしたので、第１実施形態路同様に、同一入力画像信号Ｖsin に対して、異常冷陰極管４１０_NG の部分でも他の表示正常領域T_OKとほぼ同じ視聴輝度レベルに調整することで、液晶表示パネルの表示画面が均一になるようにできる。
【図面の簡単な説明】
【０１０７】
【図１】液晶表示装置の一実施形態の全体構成の概略を示す図である。
【図２】電源生成部の詳細を説明する図である。
【図３】バックライト部の詳細を説明する図である。
【図４】照明体の発光停止時の面状光源の照度分布むらと、この照度分布むらに起因する表示パネルにおける視聴輝度分布むらの状況の関係を説明する図である。
【図５】輝度低下分布記憶部に記憶される照明体ごとの視聴輝度低下の分布状況を説明する図である。
【図６】照明体異常に対する輝度維持制御方法の基本原理を説明する図である。
【図７】照明体異常に対する輝度維持制御方法の第１実施形態を説明する図である。
【図８】照明体異常に対する輝度維持制御方法の第２実施形態を説明する図である。
【図９】照明体異常に対する輝度維持制御方法の第３実施形態を説明する図である。
【図１０】照明体異常に対する輝度維持制御方法の第４実施形態を説明する図である。
【符号の説明】
【０１０８】
１…液晶表示装置、２…基板、３…画素アレイ部、６…ソースドライバ部、５…ゲートドライバ部、９…表示輝度制御部、１２…垂直走査線、１４…水平走査線、３０…画素セル、３２…液晶素子、１００…ソース電圧用供給電源部、１０２…電源生成部、１１０…スイッチング駆動部、２００…階調基準電圧生成部、３００…タイミングコントローラ部、３１０…レベル変換部、３２０…タイミングジェネレータ部、４００…バックライト部、４１０…冷陰極管、４２０…バックライト駆動部、４２２…調光部、５００…制御・統括部、５１２…輝度低下分布記憶部
【図１】
2009294506.tif 000003
【図２】
2009294506.tif 000004
【図３】
2009294506.tif 000005
【図４】
2009294506.tif 000006
【図５】
2009294506.tif 000007
【図６】
2009294506.tif 000008
【図７】
2009294506.tif 000009
【図８】
2009294506.tif 000010
【図９】
2009294506.tif 000011
【図１０】
2009294506.tif 000012